(57)【要約】 【課題】特に高齢者や体にハンデのある人にも優しいバリアフリーを実現する浴室構造を提供する。【解決手段】入浴時以外は上端部３ａが床面２と面一位置に下降して、ピット４内に格納される。また、入浴時には下端部３ｂが突出部４ａに当接する位置に上昇して、浴槽縁３内側と床面２により形成される浴槽空間１ｂに湯張り可能とする。座椅子５は、格納時には背もたれ部５ｂの上面が床面２と面一となる位置にピット４内に下降する。また入浴時には、脚部５ｄの下端部５ｆ上面がシール部材６ｅに当接する位置まで上昇して、シール性を確保しつつ入浴者が座った状態で入浴可能とする。【選択図】図１
2014079476.tif 000002
【特許請求の範囲】
【請求項１】
浴室床面下に環状に設けた第一の格納ピットと、
第一の格納ピットに格納可能に構成した環形状の浴槽縁と、
第一の格納ピット内に配置され、該浴槽縁を上下方向に昇降可能とする浴槽縁昇降手段と、を備え、
入浴時には、該浴槽縁を床面上に突出させて、該浴槽縁とその内側床面により形成される空間により浴槽を構成し、かつ、
入浴時以外は、該浴槽縁の上端面が床面と面一となるように、第一の格納ピット内に格納可能に構成した、
ことを特徴とする浴室構造。
【請求項２】
前記浴槽縁の内側床面下に設けた第二の格納ピットと、第二の格納ピットに格納可能に構成した座椅子と、をさらに備え、
入浴時には、該座椅子を床面上に突出させ、かつ、
入浴時以外は、該座椅子の上端面が床面と面一となるように、第二の格納ピット内に格納可能に構成した、
ことを特徴とする請求項1に記載の浴室構造。
【請求項３】
入浴時及び格納時において、第一の格納ピット内、又は第一の格納ピット内及び第二の格納ピット内への漏水を防止するためのシール機構を、さらに備えたことを特徴とする請求項1又は２に記載の浴室構造。
【請求項４】
前記浴槽縁の内側床面に、前記浴槽空間に給湯可能とする給湯口と、前記浴槽空間に貯まった湯を排水可能とする排水口と、をさらに備え、かつ、
それぞれの上端面が床面と面一となるように構成した、
ことを特徴とする請求項1乃至３のいずれかに記載の浴室構造。
【請求項５】
浴室暖房手段又は／及びミストサウナ手段を、さらに備えたことを特徴とする請求項1乃至４のいずれかに記載の浴室構造。
【発明の詳細な説明】
【技術分野】
【０００１】
本発明は浴室構造に係り、特に高齢者や体にハンデのある人にも優しいバリアフリーを実現する浴室構造に関する。
【背景技術】
【０００２】
浴室のバリアフリー化に関しては、高齢者や体にハンデがある人にとって浴槽の縁を跨ぐことが困難であることから、従来一般的であった浴槽高の深い和タイプから、比較的浅い和洋折衷タイプが普及している。しかしながら、依然として浴槽縁高さが入浴の障害となっていることは解消できていない。
また、要介護度の高い高齢者や車いすを必要とする人のために、浴室用の吊り下げリフトも実用化されているが、大きな設置スペースや使用方法も簡単ではなく、普及は進んでいない。
【０００３】
さらに、浴槽の高さを上下方向に昇降させて、入浴容易とした浴槽昇降装置を備えた浴室構造が提案されている（例えば特許文献１）。図７を参照して同文献による浴室構造１００は、浴室１０４外に油圧ポンプ１０１、浴槽１０５の下部に昇降シリンダー１０３、をそれぞれ設けて、これらを油圧パイプ２で接続する。浴室１０４内に配設したスイツチ（図示せず）操作により昇降シリンダー１０３が作動し、シヤフト１０６が浴槽１０５を昇降可能とするものである。
【先行技術文献】
【特許文献】
【０００４】
【特許文献１】特開平１０−２１４７１７号公報
【発明の概要】
【発明が解決しようとする課題】
【０００５】
浴室構造１００によれば、スイッチ操作により浴槽１０５を昇降させることができるため、例えば要介護者の体を洗う場合に、介護者の容易な位置まで昇降させて作業をすることができるという利点がある。しかしながら、要介護者を浴槽内に導く際には、段差があるため対応が非常に困難であるという問題がある。
【課題を解決するための手段】
【０００６】
本発明は上記課題を解決するためのものであって、以下の内容を要旨とする。すなわち、本発明に係る浴室構造は、
（１）浴室床面下に環状に設けた第一の格納ピットと、
第一の格納ピットに格納可能に構成した環形状の浴槽縁と、
第一の格納ピット内に配置され、該浴槽縁を上下方向に昇降可能とする浴槽縁昇降手段と、を備え、
入浴時には、該浴槽縁を床面上に突出させて、該浴槽縁とその内側床面とにより形成される空間により浴槽を構成し、かつ、
入浴時以外は、該浴槽縁の上端面が床面と面一となるように、第一の格納ピット内に格納可能に構成した、
ことを特徴とする。
【０００７】
（２）上記発明において、前記浴槽縁の内側床面下に設けた第二の格納ピットと、第二の格納ピットに格納可能に構成した座椅子と、をさらに備え、
入浴時には、該座椅子を床面上に突出させ、かつ、
入浴時以外は、該座椅子の上端面が床面と面一となるように、第二の格納ピット内に格納可能に構成した、ことを特徴とする。
【０００８】
（３）上記各発明において、入浴時及び格納時において、第一の格納ピット内、又は第一の格納ピット内及び第二の格納ピット内への漏水を防止するためのシール機構を、さらに備えたことを特徴とする。
【０００９】
（４）上記各発明において、前記浴槽縁の内側床面に、前記浴槽空間に給湯可能とする給湯口と、前記浴槽空間に貯まった湯を排水可能とする排水口と、をさらに備え、かつ、
それぞれの上端面が床面と面一となるように構成した、ことを特徴とする。
【００１０】
（５）上記各発明において、浴室暖房手段又は／及びミストサウナ手段を、さらに備えたことを特徴とする。
浴室暖房手段としては、床暖房又は浴室天井等に設置する浴室暖房乾燥装置等が例示される。
【発明の効果】
【００１１】
本発明によれば、浴槽内に湯が張られる入浴時以外は、浴室の床を完全にフラットにすることができるため、健常者はもちろん、高齢者や体にハンデのある人も入浴容易という効果がある。
また、段差がない状態で浴槽内に導くことができるため、車いすを必要とする人の入浴が容易という効果がある。
【００１２】
また、浴室は浴室暖房、ミストサウナを備えた発明にあっては、お湯に浸らなくても体が温まる環境を作り出すことができるという効果がある。
【図面の簡単な説明】
【００１３】
【図１】本発明の一実施形態に係る浴室構造１の全体構成を示す図である。
【図２（ａ）】入浴時における浴槽縁３及び座椅子５の態様を示す図である。
【図２（ｂ）】格納時における浴槽縁３及び座椅子５の態様を示す図である。
【図３】浴槽１ｂの構成を示す図（平面図）である。
【図４（ａ）】浴槽縁３の入浴時位置を示す図（断面図）である。
【図４（ｂ）】浴槽縁３の格納時位置を示す図（断面図）である。
【図４（ｃ）】入浴時位置における浴槽縁３のシール構造を示す図である。
【図５（ａ）】座椅子５の入浴時位置を示す図（断面図）である。
【図５（ｂ）】座椅子５の格納時位置を示す図（断面図）である。
【図５（ｃ）】座椅子５の背もたれ部及び肘掛部の詳細構成を示す図（平面図）である。
【図６】浴室構造１の入浴シーケンス例を示す図である。
【図７】従来の浴室構造１００を示す図である。
【発明を実施するための形態】
【００１４】
以下、本発明に係る浴室構造の一実施形態について、図１乃至６を参照してさらに詳細に説明する。なお、本発明の範囲は特許請求の範囲記載のものであって、以下の実施形態に限定されないことはいうまでもない。
【００１５】
＜全体構成＞
図１乃至２（ｂ）を参照して、本実施形態に係る浴室構造１は、浴室１ａ内の床面２に対してぞれぞれ上下方向に昇降自在に設置される浴槽縁３と、座椅子５と、を主要構成として備えている。浴槽縁３は断面が略方形環状に形成され、入浴時以外は床面２の下側に掘られた格納ピット４に格納可能に構成されている。
【００１６】
浴室１ａの天井面７ｂには、ミストサウナ機能を備えた浴室暖房装置１２が設置されており、入浴時等の暖房、ミストサウナ運転を可能としている。壁面７ａにはコントローラ１３が取り付けられている。コントローラ１３は、後述の油圧昇降装置７、８、及び、給湯器１１、浴室暖房装置１２  等に接続されており、利用者の赤外線リモコン（図示せず）によるコントローラ１３への指示により、後述する一連の入浴シーケンス操作を可能に構成されている。
【００１７】
＜浴槽縁構成＞
図４（ａ）乃至４（ｃ）を参照して、浴槽縁３は上昇位置において浴槽として機能する縁本体３ｃと、縁本体３ｃより幅広の上端部３ａ及び下端部３ｂにより構成されている。後述するように、上端部３ａ及び下端部３ｂは、入浴時及び格納時のシール性を担保する機能を有している。
浴槽縁３の下端部３ｂは、油圧シリンダー式昇降装置７に一体固定されており、浴槽縁３の上下方向の移動を可能としている。昇降装置７は、シリンダー部７ａ、昇降ロッド７ｂ、及び、浴室外に配設される不図示のザーブタンク、油圧ポンプ等により構成されている。
【００１８】
浴槽縁３及び昇降装置７は、床面２下に環状に設けられた格納ピット４（請求項における第一の格納ピット）に格納可能に構成されている。格納ピット４の床面２近傍には突出部４ａが設けられており、その上面及び下面にはそれぞれシール用Ｏリング４ｂ、４ｃが嵌合されている。
浴槽縁３の入浴位置において、シール用Ｏリング４ｃが浴槽縁３の下端部３ａの上面と当接して、浴槽縁３内に張られたお湯の格納ピット４側への漏洩を防止可能としている。また、浴槽縁３の格納位置において、シール用Ｏリング４ｂが浴槽縁３の上端部３ａの下面と当接して、シャワー、掃除等の際に床面２に流れた水が格納ピット４内に漏れることを防止可能としている。
【００１９】
以上の構成により浴槽縁３は、図１（ｂ）を参照して入浴時以外は上端部３ａが床面２と面一位置に下降して、ピット４内に格納される。また図１（ｂ）を参照して、入浴時には下端部３ｂが突出部４ａに当接する位置に上昇して、浴槽縁３内側と床面２により形成される浴槽空間１ｂに湯張り可能に構成されている。
【００２０】
図１を参照して、床面２のピット４内周には給湯口９、及び排水口１０が設けられている。排水口１０には、コントローラ１３からの指示により開閉可能な排水栓１０ａが配設されている。給湯器１１から供給されるお湯は、給湯配管１１ａを経由し給湯口９を介して供給され、浴槽縁３上昇位置において形成される浴槽１ｂに湯張り可能に構成されている。また、入浴終了後は排水栓１０ａを開くことにより、排水管１０ｂを介して浴槽１ｂの湯を排水可能に構成されている。
【００２１】
＜座椅子構成＞
図５（ａ）乃至５（ｃ）を参照して、座椅子５は脚部５ｄと、脚部５ｄの上側に固定される座部５ａと、背もたれ部５ｂと、肘掛け部５ｃと、により構成されている。座椅子５の脚部５ｄの下端部５ｆには、油圧シリンダー式の座椅子昇降装置８が一体に固定されている。昇降装置８は、シリンダー部８ａ、昇降ロッド８ｂ及び浴室外に配設される不図示のザーブタンク、油圧ポンプ等  により構成されている。
【００２２】
座椅子５及び昇降装置８は、床面２の下側に掘られた格納ピット６（請求項における第二の格納ピット）に昇降自在に格納される。格納ピット６は、座椅子格納部６ａと、昇降装置格納部６ｂと、両格納部の境界に設けられた突出部６ｃと、により構成されている。突出部６ｃの上面、下面にはそれぞれシール部材６ｄ、６ｅが取り付けられており、上述の浴槽縁３と同様の機構により、座椅子５の上昇及び下降のいずれの位置においても、格納ピット６内に水が漏れることを防止可能としている。
【００２３】
背もたれ部５ｂは格納時には座部５ａの上面に折り畳んた状態で載置され、入浴時には引き起こすことにより入浴者が背もたれ可能に構成されている。肘掛け部５ｃは背もたれ部５ｂ両端に取り付けられており、格納時には座部５ａの上面の肘掛け部５ｃの切欠部５ｆ部分に載置され、入浴時にはヒンジ５ｅを折って水平位置に固定できるように構成されている。座部５ａ内部には着座センサ（図示せず）が埋め込まれており、入浴者の着座を検知可能に構成されている。
【００２４】
図５（ｂ）を参照して、以上の構成により座椅子５は格納時には背もたれ部５ｂの上面が床面２と面一となる位置にピット４内に下降して格納される。また図５（ａ）を参照して、入浴時には脚部５ｄの下端部５ｆ上面がシール部材６ｅに当接する位置まで上昇して、シール性を確保しつつ入浴者が座った状態で入浴可能としている。
【００２５】
＜入浴シーケンス＞
浴室構造１は以上のように構成されており、次に、図６を参照して本実施形態における入浴時の態様について説明する。
初期状態で浴槽縁３及び座椅子５は格納状態にあり床面２はフラットの状態、また、排水栓は閉状態にある（Ｓ１０１）。利用者のリモコンからの指示により、座椅子５が格納位置から入浴位置まで上昇する（Ｓ１０２）。この段階で、入浴者を車いすに乗ったまま浴室内に導き、座椅子５に移して着座させることができる（Ｓ１０３）。着座センサによる着座状態の検知があると（Ｓ１０４）、浴槽縁３が格納位置から入浴位置まで上昇する（Ｓ１０５）。次いで、給湯器１１からの浴槽１ｂへの湯張りが開始される（Ｓ１０６）。さらに、浴室暖房装置１２の暖房及び／又はミストサウナ運転が開始される（Ｓ１０７）。
【００２６】
入浴・体洗い（Ｓ１０８）の終了後、排水栓１０ａが開となり浴槽１ｂ内のお湯が排水される（Ｓ１０９）。お湯が排水されたのち、利用者の指示により浴槽縁３が入浴位置から格納位置まで下降する（Ｓ１１０）。床面２がフラット状態となったら入浴者を車いすに移し、浴室１ａ外に導くことにより、入浴終了となる（Ｓ１１１）。最後に暖房・ミストサウナ運転を停止して（Ｓ１１２）、本実施形態のシーケンスが終了する。
【００２７】
なお、本実施形態では油圧シリンダーロッド方式の昇降装置を用いた例を示したが、これに限らずパンタグラフ式ジャッキ、スクリュー式ジャッキを用いる態様とすることもできる。
【００２８】
また、格納式座椅子５を備えた例を示したが、これに替えて入浴者の状態に適した座椅子を入浴の都度、浴槽縁の内側に配置する態様としてもよい。
【００２９】
また、浴槽縁として断面が略方形環状の例を示したが、これに限らず断面楕円形、円形等、任意の環状タイプの浴槽縁とすることができる。
【産業上の利用可能性】
【００３０】
本発明は、戸建、集合住宅等、建物形態を問わず、格納ピットの設置可能な浴室に対して広く適用可能である。
【符号の説明】
【００３１】
１・・・・浴室構造
１ａ・・・浴室
１ｂ・・・浴槽
３・・・・浴槽縁
４・・・・浴槽縁格納ピット
５・・・・座椅子
６・・・・座椅子格納ピット
７、８・・・・油圧シリンダー式昇降装置
９・・・・給湯口
１０・・・排水口
１１・・・給湯器
１２・・・浴室暖房装置
１３・・・コントローラ
【図１】
2014079476.tif 000003
【図２（ａ）】
2014079476.tif 000004
【図２（ｂ）】
2014079476.tif 000005
【図３】
2014079476.tif 000006
【図４（ａ）】
2014079476.tif 000007
【図４（ｂ）】
2014079476.tif 000008
【図４（ｃ）】
2014079476.tif 000009
【図５（ａ）】
2014079476.tif 000010
【図５（ｂ）】
2014079476.tif 000011
【図５（ｃ）】
2014079476.tif 000012
【図６】
2014079476.tif 000013
【図７】
2014079476.tif 000014